(57)【要約】  【課題】      製造容易でありながら雄雌のスナップを押しつけるだけの簡単な操作で、雄雌の嵌合部の位置合わせを自動的に行って、雄雌のスナップを確実に嵌合させることができるスナップファスナーの雌型嵌合部材を提供する。  【解決手段】  スナップファスナー１の雌スナップ５の一部を構成し、外形がほぼ円盤状であり、中央に雄スナップ４の雄型嵌合部９を弾性嵌合するための雌型嵌合部１０を備えると共に、この雌型嵌合部１０の周囲に環状基体８ａを形成してなる雌型嵌合部材８において、この環状基体８ａの表面に、雄型嵌合部９を押しつけることによりこの雄型嵌合部９を雌型嵌合部１０に案内するための逆円錐状のテーパ面１１を形成してなる。【選択図】      図１
2005143767.tif 000002
【特許請求の範囲】
【請求項１】
二枚の基材にそれぞれ取り付けられて、嵌合および解除が可能である雄雌のスナップからなるスナップファスナーの雌スナップの一部を構成し、外形がほぼ円盤状であり、中央に雄スナップの雄型嵌合部を弾性嵌合するための雌型嵌合部を備えると共に、この雌型嵌合部の周囲に環状基体を形成してなる雌型嵌合部材において、この環状基体の表面に、雄型嵌合部を押しつけることによりこの雄型嵌合部を雌型嵌合部に案内するための逆円錐状のテーパ面を形成してなることを特徴とするスナップファスナーの雌型嵌合部材。
【請求項２】
テーパ面が環状基体の半径方向の幅一杯に形成されてある請求項１に記載のスナップファスナーの雌型嵌合部材。
【請求項３】
テーパ面が環状基体の半径方向の幅のうち、雌型嵌合部に近い部分から部分的に形成され、環状基体の残りの部分に平坦な面が形成されてあり、かつ、テーパ面の形成部分に模様を形成したことを特徴とする請求項１に記載のスナップファスナーの雌型嵌合部材。
【発明の詳細な説明】
【技術分野】
【０００１】
本発明は、スナップファスナーの雌型嵌合部材に関するものであって、より詳細には、雄型のスナップファスナーの位置合わせが容易であるスナップファスナーの雌型嵌合部材に関するものである。
【背景技術】
【０００２】
一般的に、スナップファスナーは合成樹脂製の雄雌のスナップからなり、このスナップファスナーは雄スナップに形成された雄型嵌合部と雌スナップに形成された雌型嵌合部と嵌合および解除することにより、嵌合および解除できるように構成されている。
【０００３】
また、雄スナップは、例えば基板の中央部に尖鋭な突起を一体的に形成した合成樹脂製のリベット部材と、この突起に対応する貫通孔および雄型嵌合部を中央部に形成してなる雄型嵌合部材とからなる。同様に、雌スナップは、合成樹脂製のリベット部材と、このリベット部材の突起に対応する貫通孔および雌型嵌合部を中央部に形成してなる雌型嵌合部材とからなる。
【０００４】
雄雌のリベット部材は、それぞれ衣服の生地などの基材の片側面からリベット部材の突起を打ち込んで、基材を貫通させた突起を雄型嵌合部材または雌型嵌合部材の貫通孔に挿通させた状態で、その突出先端部を打撃によって拡開変形させることにより、基材がリベット部材と雄雌の嵌合部材の間に挟み込まれるようにして、取り付けられる。
【０００５】
そして、使用者が一方の基材に取り付けられた雄スナップの雄型嵌合部を他方の基材に取り付けられた雌スナップの雌型嵌合部に押しつけることにより、雄雌の嵌合部が弾性変形して嵌合することにより、２枚の基材をスナップファスナーによって係止することができる。ところが、使用者がスナップファスナーを係止させるときに、雄雌の嵌合部の位置を合わせることが難しいという問題がある。
【０００６】
そこで、特許文献１には雌型嵌合部材の雌型嵌合部周りの環状基板を幅広に形成し、その表面を基材の表面に滑らかに連ねるように、半径方向外方ほど基材に向けて傾斜させる傾斜表面を形成する構成が示されている。これによって、使用者は雄雌のスナップを見ながらその位置あわせを行わなくても、手探りだけで、雄型嵌合部を前記傾斜表面の上を滑らせて、雌型嵌合部にスムーズに嵌合させることを可能としている。
【０００７】
【特許文献１】特開平８−３１１号公報
【発明の開示】
【発明が解決しようとする課題】
【０００８】
ところで、衣服の生地などの基材に取り付けられたスナップファスナーは、その取り付け位置が予め定められているので、雄スナップと雌スナップの大きな位置ずれが生じることはない。このため、使用者が雄雌のスナップの僅かな位置ずれを気にすることなく、より簡便に雄雌の嵌合部の位置合わせを行うことができることが望まれている。
【０００９】
また、とりわけ衣服に取り付けられるスナップファスナーの場合、使用者の肌に直接接触することもあるので、その肌触りが重要な要素となるので、スナップファスナーの機能性を高めることができる形状であっても、この雄雌のスナップに触れたときの肌触りを悪くするような形状は好ましくない。また、一方ではスナップファスナーにメーカ名などを示す絵柄や文字の模様を形成することも望まれており、これを滑らかな肌触りと両立させ
ることが望まれている。
【００１０】
本発明は、上述の事柄を考慮に入れてなされたものであって、その目的は製造容易でありながら雄雌のスナップを押しつけるだけの簡単な操作で、雄雌の嵌合部の位置合わせを自動的に行って、雄雌のスナップを確実に嵌合させることができるスナップファスナーの雌型嵌合部材を提供することにある。
【課題を解決するための手段】
【００１１】
上記目的を達成するため、本発明のスナップファスナーの雌型嵌合部材は、二枚の基材にそれぞれ取り付けられて、嵌合および解除が可能である雄雌のスナップからなるスナップファスナーの雌スナップの一部を構成し、外形がほぼ円盤状であり、中央に雄スナップの雄型嵌合部を弾性嵌合するための雌型嵌合部を備えると共に、この雌型嵌合部の周囲に環状基体を形成してなる雌型嵌合部材において、この環状基体の表面に、雄型嵌合部を押しつけることによりこの雄型嵌合部を雌型嵌合部に案内するための逆円錐状のテーパ面を形成してなることを特徴としている（請求項１）。
【００１２】
テーパ面が環状基体の半径方向の幅一杯に形成されてあってもよい（請求項２）。
【００１３】
テーパ面が環状基体の半径方向の幅のうち、雌型嵌合部に近い部分から部分的に形成され、環状基体の残りの部分に平坦な面が形成されてあり、かつ、テーパ面の形成部分に模様を形成してあってもよい（請求項３）。
【発明の効果】
【００１４】
請求項１に記載のスナップファスナーの雌型嵌合部材は、外形がほぼ円盤状であり、中央に雄スナップの雄型嵌合部を弾性嵌合するための雌型嵌合部を備えると共に、この雌型嵌合部の周囲に環状基体を形成してなる雌型嵌合部材において、この環状基体の表面に、雄型嵌合部を押しつけることによりこの雄型嵌合部を雌型嵌合部に案内するための逆円錐状のテーパ面を形成してなるので、この雌型嵌合部材を用いたスナップファスナーは、雄スナップを雌スナップに押しつけるだけで、テーパ面による自動調芯の機能が発揮され、雄型嵌合部の位置を雌型嵌合部の位置に自動的に合わせて、これを嵌合することができる。また、位置の自動合わせのための構成が極めてシンプルであるので、これによってスナップファスナーの手触りを悪くすることがない。
【００１５】
テーパ面が環状基体の半径方向の幅一杯に形成されてある場合（請求項２）には、雄型嵌合部と雌型嵌合部の位置合わせを容易に行うことができる。
【００１６】
テーパ面が環状基体の半径方向の幅のうち、雌型嵌合部に近い部分から部分的に形成され、環状基体の残りの部分に平坦な面が形成されてあり、かつ、テーパ面の形成部分に模様を形成してある場合（請求項３）には、スナップファスナーにメーカ名などを示す任意の絵柄や文字からなる独自の模様デザインを施すことができる。また、模様がテーパ面の少し窪んだ位置に配置されているので、この模様が外部に頻繁に接触することがなく、摩擦などによる模様の損傷を抑えることができる。加えて、この模様が凹凸のある立体模様であったとしても、この模様が窪んだ位置にあり、これに直接触れることが少ないので肌触りが悪くなることを防止できる。
【発明を実施するための最良の形態】
【００１７】
図１は本発明の雌型嵌合部材を利用したスナップファスナー１の構成を示す断面図である。また、図２〜４は前記スナップファスナーの雌スナップの一部である、本発明の雌型嵌合部材の構成を示す図であり、図２はその斜視図、図３は底面図、図４は縦断面図である。
【００１８】
図１に示すように、スナップファスナー１は例えば衣服の生地などの二枚の基材２，３にそれぞれ取り付けられて、嵌合および解除が可能である雄スナップ４と雌スナップ５とからなる。
【００１９】
また、雄スナップ４は、例えば基板６ａの中央部に基材２に突き刺すための先鋭な突起６ｂを一体的に形成した合成樹脂製のリベット部材６と、環状基体７ａの中央に前記突起６ｂに対応する貫通孔７ｂを形成してなる雄型嵌合部材７とからなる。同様に、雌スナップ５は前記リベット部材６と、環状基体８ａの中央に前記突起６ｂに対応する貫通孔８ｂを形成してなる雌型嵌合部材８とからなる。そして、雄型嵌合部材７の中央部には雄型嵌合部９が、雌型嵌合部材８の中央部にはこの雄型嵌合部９に弾性変形しながら嵌合する雌型嵌合部１０が形成されている。
【００２０】
前記雄雌のスナップ４，５を基材２，３に取り付けるときには、まず、リベット部材６の突起６ｂを、基材２，３の片側面から突き刺すようにして貫通させる。次いで。この突起６ｂを雄雌の嵌合部材７，８の貫通孔７ｂ，８ｂに挿通させた状態で、その突出先端部を打撃によって拡開変形させることにより、突起６ｂの先端部に拡開部６ｃを形成する。つまり、この拡開部６ｃが貫通孔７ｂ，８ｂに係合することにより、リベット部材６と雄雌の嵌合部材７，８の間に基材２，３を挟み込むようにして、雄雌のスナップ４，５を基材２，３に取り付ける。
【００２１】
なお、前記雄雌のスナップ４，５は、上述の例に示したようなリベット部材６と雄雌の嵌合部材７，８によって構成されることに限られるものではなく、雄雌の嵌合部材７，８側の中央部に基材２，３を突き刺すための突起が形成されていてもよい。その場合、雌型嵌合部材８の環状基体８ａは、その中央の下端部に貫通孔８ｂを形成することがないので、雌型嵌合部材７の全体的な形状は環状ではなく、円盤状である。
【００２２】
前記雄型嵌合部９は、例えばほぼ筒状の突起９ａと、この突起９ａの先端部の外側に形成した環状凸部９ｂとからなり、前記雌型嵌合部１０は突起９ａの外形とほぼ同じ内径を有する凹部１０ａと、この凹部１０ａの解放端部形成した環状凸部１０ｂとからなる。そして、雄雌の嵌合部９，１０は何れも弾性変形可能な合成樹脂製である。
【００２３】
図２〜４に詳細に示すように、第１実施例の雌型嵌合部材８は前記雌型嵌合部１０の周囲に形成した環状基体８ａの表面に、逆円錐状のテーパ面１１を形成している。また、本例のテーパ面１１は環状基体８ａの半径方向の幅Ｗの全面に形成されている。８ｃは補強用のリブであり、このリブ８ｃを形成することにより、前記環状基体８ａの肉厚を薄くしながら十分の強度を得ることができる。また、各部の肉厚を薄くすることにより、その製造コストを引き下げると共に、合成樹脂からなる雌型嵌合部材８の形成を容易にしている。
【００２４】
図５は図２〜４に示す第１実施例の雌型嵌合部材８を用いたスナップファスナー１の動作説明図であって、図５（Ａ）は雄雌の嵌合部９，１０を嵌合させるために、雄雌のスナップ４，５を押しつけている状態を示し、図５（Ｂ）は勘合した状態を示している。
【００２５】
図５（Ａ）に示すように、使用者が衣服の生地などの基材２，３に取り付けられた雄雌のスナップ４，５を押しつけることにより、雄型嵌合部９をテーパ面１１に当てることができる。このとき、衣服の生地などの基材２，３に取り付けられた雄雌のスナップ４，５の位置が大幅にずれることは少ないと考えることができる。
【００２６】
そして、前記雄雌のスナップ４，５の位置ずれが前記テーパ面１１の幅Ｗ以下であると
、図５（Ａ）に示すように、雄型嵌合部９がテーパ面１１に当たり、雄スナップ４を雌スナップ５に押しつける力によって雄型嵌合部９がテーパ面１１の表面を滑り、芯合わせの機能が働き、雄型嵌合部９の位置が雌型嵌合部１０の位置に合うように自動調節される。
【００２７】
テーパ面１１の作用によって雄型嵌合部９の位置が雌型嵌合部１０の位置に案内されると、図５（Ｂ）に示すように、突起９ａが凹部１０ａ内に嵌合する。このとき、前記環状凸部９ｂ，１０ｂが当接し、雄雌の嵌合部９，１０が弾性変形することにより、適度な抵抗力を形成する。つまり、使用者は雄雌のスナップ４，５を押しつけるだけで、雄雌の嵌合部９，１０の位置ずれを容易に調節してスナップファスナー１を係止できる。
【００２８】
そして、雄雌の嵌合部材９，１０の嵌合状態は、前記環状凸部９ｂ，１０ｂによる抵抗力によって維持できるので、雄型嵌合部材７と雌型嵌合部材８の係止状態を適度の力によって保持することができる。
【００２９】
図６，７は第２実施例の雌型嵌合部材８’の構成を示し、図６は斜視図、図７は縦断面図である。本例において、図１〜５と同じ符号を付した部材は同一または同等の部材であるので、その詳細な説明を省略する。
【００３０】
図６，７において、１２は前記雌型嵌合部１０の周囲に位置する環状基体８ａの表面に形成された逆円錐状のテーパ面である。また、本例のテーパ面１２は環状基体８ａの半径方向の幅Ｗのうち、雌型嵌合部に近い部分から例えば半分の幅Ｈの部分に形成されている。１３はテーパ面１２に形成される立体模様である。
【００３１】
前記立体模様１３が文字であれば、使用者はこのスナップファスナーのメーカを容易に識別することができるが、この模様１３は絵柄であってもよい。本例の場合、立体模様１３がテーパ面１２に形成されているので、この窪んだ位置に立体模様１３による凹凸が形成されていても、これが直接的に外部に接触することがないので、肌触りを悪くすることはない。また、模様１３が頻繁に接触することがないので、模様１３の摩耗を抑えることができる。
【図面の簡単な説明】
【００３２】
【図１】本発明の雌型嵌合部材を用いるスナップファスナーを示す縦断面図である。
【図２】本発明の雌型嵌合部材の第１実施例の構成を示す斜視図である。
【図３】前記雌型嵌合部材の底面図である。
【図４】前記雌型嵌合部材の縦断面図である。
【図５】前記雌型嵌合部材の動作を説明する図である。
【図６】第２実施例の雌型嵌合部材の構成を示す斜視図である。
【図７】前記雌型嵌合部材の構成を示す縦断面図である。
【符号の説明】
【００３３】
１    スナップファスナー
２，３  基材
４    雄スナップ
５    雌スナップ
８    雌型嵌合部材
８ａ  環状基体
９    雄型嵌合部
１０  雌型嵌合部
１１  テーパ面
１２  テーパ面
１３  模様
Ｗ    半径方向の幅
【図１】
2005143767.tif 000003
【図２】
2005143767.tif 000004
【図３】
2005143767.tif 000005
【図４】
2005143767.tif 000006
【図５】
2005143767.tif 000007
【図６】
2005143767.tif 000008
【図７】
2005143767.tif 000009